(57)【要約】【課題】  複数個の放電灯のいずれかに異常が発生した場合であっても正常な放電灯を点灯可能な放電灯点灯装置及び該放電灯点灯装置を用いた照明器具を提供する。【解決手段】  ２個の放電灯ＦＬＡ，ＦＬＢにそれぞれ電源を供給して点灯させるインバータ部２と、各放電灯ＦＬＡ、ＦＬＢについてそれぞれ異常を検出する第１の異常検出部３と、各放電灯ＦＬＡ，ＦＬＢについてそれぞれ無負荷状態を検出するフィラメント検出部５と、いずれかの放電灯ＦＬＡ，ＦＬＢにおいて第１の異常検出部３によって異常が検出されたときにインバータ部２を制御して放電灯ＦＬＡ，ＦＬＢへの供給電力を低下させる保護動作を行う制御部６とを備える。フィラメント検出部５によって無負荷が検出された放電灯ＦＬＡ，ＦＬＢについては、第１の異常検出部３は異常を検出しない。【選択図】図１
2008016393.tif 000002
【特許請求の範囲】
【請求項１】
複数個の放電灯にそれぞれ電源を供給して点灯させる電源部と、各放電灯に対してそれぞれ放電灯の異常を検出する異常検出部と、各放電灯に対してそれぞれ無負荷状態を検出する無負荷検出部と、いずれかの放電灯において異常検出部によって放電灯の異常が検出されたときに電源部を制御して全ての放電灯への供給電力を低下させる保護動作を行う制御部とを備え、
異常検出部は、無負荷検出部によって無負荷が検出された放電灯について異常の検出を行わないことを特徴とする放電灯点灯装置。
【請求項２】
制御部は、無負荷検出部において全ての放電灯について無負荷状態が検出されたときにも保護動作を行うことを特徴とする請求項１記載の放電灯点灯装置。
【請求項３】
無負荷検出部は放電灯の一方のフィラメントの有無を検出するものであって、各放電灯において無負荷検出部に有無を検出されるフィラメントが存在せず他方のフィラメントが存在する片側無負荷状態を検出する片側無負荷検出部を備え、
制御部は、片側無負荷検出部によって片側無負荷状態が検出されたときにも保護動作を行うことを特徴とする請求項１又は請求項２記載の放電灯点灯装置。
【請求項４】
請求項１〜３のいずれか一項に記載の放電灯点灯装置と、放電灯点灯装置の電源部に電気的に接続されるとともに放電灯に電気的且つ機械的に接続されるソケットとを備えることを特徴とする照明器具。
【発明の詳細な説明】
【技術分野】
【０００１】
本発明は、放電灯点灯装置及び該放電灯点灯装置を用いた照明器具に関するものである。
【背景技術】
【０００２】
従来から、放電灯に共振用の回路が接続されてなる負荷回路に交流電力を供給して点灯させる電源部と、電源部から放電灯への供給電力を制御する制御部とを備える放電灯点灯装置が提供されている。
【０００３】
この種の放電灯点灯装置として、放電灯の寿命末期のエミッタ消耗（エミレス）やフィラメントの断線等、放電灯の点灯が不安定となり又は放電灯が消灯する異常状態を検知する検知部を備え、検知部によって異常が検知されたときに、制御部が電源部から負荷回路への供給電力を低下させるものがある（例えば、特許文献１参照）。
【０００４】
上記構成によれば、異常の発生した放電灯に電力が供給されることによる過熱を抑えることができる。
【特許文献１】特開平６−４５０８８号公報
【発明の開示】
【発明が解決しようとする課題】
【０００５】
負荷回路が複数個設けられている場合、異常が発生した負荷回路において放電灯を取り外せば電源部を動作させたとしても過熱のおそれはなく正常な負荷回路において放電灯を点灯させることができる。しかし、上記従来構成では、放電灯が取り外されている場合にも異常が検知され、異常が検知されたときに電源部を停止させていたため、一個の負荷回路で異常が検知されれば、例え異常が発生した放電灯を取り外したとしても、他の正常な放電灯を点灯させることができなくなっていた。このため、上記従来の放電灯点灯装置を用いた照明器具が１個しかない部屋では、異常が発生した放電灯が複数個の放電灯のうちの１個のみであったとしても照明のない状態となってしまい不便であった。
【０００６】
本発明は上記事由に鑑みてなされたものであり、その目的は、複数個の放電灯のいずれかに異常が発生した場合であっても正常な放電灯を点灯可能な放電灯点灯装置及び該放電灯点灯装置を用いた照明器具を提供することにある。
【課題を解決するための手段】
【０００７】
請求項１の発明は、複数個の放電灯にそれぞれ電源を供給して点灯させる電源部と、各放電灯に対してそれぞれ放電灯の異常を検出する異常検出部と、各放電灯に対してそれぞれ無負荷状態を検出する無負荷検出部と、いずれかの放電灯において異常検出部によって放電灯の異常が検出されたときに電源部を制御して全ての放電灯への供給電力を低下させる保護動作を行う制御部とを備え、異常検出部は、無負荷検出部によって無負荷が検出された放電灯について異常の検出を行わないことを特徴とする。
【０００８】
この発明によれば、複数個の放電灯のいずれかにおいて異常検出部によって異常が検出された場合にも、他の放電灯が正常であるならば、異常が検出された放電灯を取り外すことによって正常な放電灯を点灯可能となる。
【０００９】
請求項２の発明は、請求項１の発明において、制御部は、無負荷検出部において全ての放電灯について無負荷状態が検出されたときにも保護動作を行うことを特徴とする。
【００１０】
この発明によれば、放電灯が全て取り外されているときに使用者が誤って電源を入れた場合にも、過熱を抑えることができる。
【００１１】
請求項３の発明は、請求項１又は請求項２の発明において、無負荷検出部は放電灯の一方のフィラメントの有無を検出するものであって、各放電灯において無負荷検出部に有無を検出されるフィラメントが存在せず他方のフィラメントが存在する片側無負荷状態を検出する片側無負荷検出部を備え、制御部は、片側無負荷検出部によって片側無負荷状態が検出されたときにも保護動作を行うことを特徴とする。
【００１２】
この発明によれば、実際には放電灯が取り外されていないときに無負荷状態が検出されることによる過熱を抑えることができる。
【００１３】
請求項４の発明は、請求項１〜３のいずれか一項に記載の放電灯点灯装置と、放電灯点灯装置の電源部に電気的に接続されるとともに放電灯に電気的且つ機械的に接続されるソケットとを備えることを特徴とする。
【発明の効果】
【００１４】
本発明によれば、無負荷状態が検出された放電灯に関しては、放電灯の異常の検出に基づく電源部の制御が行われないから、寿命が検出された放電灯のみを取り外せば、その他の正常な放電灯は点灯させることができる。また、請求項２の構成を採用すれば、放電灯が全て取り外されているときに使用者が誤って電源を入れた場合にも、過熱を抑えることができる。さらに、請求項３の構成を採用すれば、実際には放電灯が取り外されていないときに無負荷状態が検出されることによる過熱を抑えることができる。
【発明を実施するための最良の形態】
【００１５】
以下、本発明を実施するための最良の形態について、図面を参照しながら説明する。
【００１６】
本実施形態は、図１に示すように、交流電源ＡＣから供給された交流電力を直流電力に変換する直流電源部１と、直流電源部１の出力した直流電力を交流電力に変換して熱陰極型の放電灯ＦＬＡ，ＦＬＢに供給するインバータ部２と、それぞれ放電灯ＦＬＡ，ＦＬＢの異常を検出する第１の異常検出部３及び第２の異常検出部４と、放電灯ＦＬＡ，ＦＬＢの一方のフィラメントの有無を検出する無負荷検出部としてのフィラメント検出部５と、各異常検出部３，４及びフィラメント検出部５の出力に応じて直流電源部１とインバータ部２とを制御する制御部６とを備える。ここで、「放電灯ＦＬＡ，ＦＬＢのフィラメントが存在しない」「放電灯ＦＬＡ，ＦＬＢのフィラメントがない」とは、放電灯ＦＬＡ，ＦＬＢのフィラメントがインバータ部２に接続されていない状態だけでなく、放電灯ＦＬＡ、ＦＬＢのフィラメントが断線している場合を含む。
【００１７】
直流電源部１は、交流電源ＡＣの出力を全波整流するダイオードブリッジＤＢと、ダイオードブリッジＤＢの出力端間に接続されたコンデンサＣｘと、ダイオードブリッジＤＢの出力端間にコンデンサＣｘに対して並列に接続されたインダクタＬ０とダイオードＤ０とコンデンサＣ０との直列回路と、一端がインダクタＬ０とダイオードＤ０との接続点に接続され他端がグランドに接続された平滑コンデンサＣ０とを備える、周知のブースト・コンバータである。制御部６は、直流電源部１のスイッチング素子Ｑ０をオンオフするデューティ比を制御することにより、直流電源部１の出力電圧を制御する。
【００１８】
インバータ部２は、直流電源部１の出力端間に互いに直列に接続された２個のスイッチング素子Ｑ１，Ｑ２からなるスイッチング部２１を備える、周知のハーフブリッジ形のインバータ回路であって、ローサイドのスイッチング素子Ｑ２の両端間には、２個の負荷回路２２Ａ，２２Ｂが互いに並列に接続されている。各負荷回路２２Ａ，２２Ｂは、スイッチング素子Ｑ１，Ｑ２の接続点と放電灯ＦＬＡ，ＦＬＢの一方のフィラメントの一端との間に接続された直流カット用の直列コンデンサＣ１Ａ，Ｃ１Ｂと共振用のインダクタＬ１Ａ，Ｌ１Ｂとの直列回路と、放電灯ＦＬＡ，ＦＬＢに並列に接続された予熱兼共振用の並列コンデンサＣ２Ａ，Ｃ２Ｂとからなる。直列コンデンサＣ１Ａ，Ｃ１ＢとインダクタＬ１Ａ，Ｌ１Ｂとの直列回路と、並列コンデンサＣ２Ａ，Ｃ２Ｂとは、放電灯ＦＬＡ，ＦＬＢのフィラメントの互いに異なる一端に接続されている。すなわち、直列コンデンサＣ１Ａ，Ｃ１Ｂ及びインダクタＬ１Ａ，Ｌ１Ｂと、放電灯ＦＬＡ，ＦＬＢの各フィラメントと、並列コンデンサＣ２Ａ，Ｃ２Ｂとは、互いに直列に接続されている。直列コンデンサＣ１Ａ，Ｃ１Ｂや並列コンデンサＣ２Ａ，Ｃ２Ｂとしては、例えばフィルムコンデンサが用いられる。
【００１９】
制御部６は、例えば周知の集積回路からなり、直流電源部１のスイッチング素子をオンオフするデューティ比を制御することにより直流電源部１の出力電圧を制御するとともに、インバータ部２のスイッチング素子Ｑ１，Ｑ２を交互にオンオフ駆動する周波数（以下、「動作周波数」と呼ぶ。）を制御することにより、放電灯ＦＬＡ，ＦＬＢに供給される電力を制御する。
【００２０】
第１の異常検出部３は、各負荷回路２２Ａ，２２Ｂに対して１個ずつ設けられており、負荷回路２２Ａ，２２Ｂにおける直列コンデンサＣ１Ａ，Ｃ１ＢとインダクタＬ１Ａ，Ｌ１Ｂとの接続点と直流電源部１の高電圧側の出力端との間に接続された抵抗Ｒ１Ａ，Ｒ１Ｂと、負荷回路２２Ａ，２２Ｂにおける直列コンデンサＣ１Ａ，Ｃ１ＢとインダクタＬ１Ａ，Ｌ１Ｂとの接続点とグランドとの間に接続された抵抗Ｒ２Ａ，Ｒ２ＢとコンデンサＣ３Ａ，Ｃ３Ｂとの直列回路とを備える。抵抗Ｒ２Ａ，Ｒ２ＢとコンデンサＣ３Ａ，Ｃ３Ｂとの接続点は、２個のダイオードの直列回路からなる複合ダイオードＤ１Ａ，Ｄ１Ｂを介して制御部に接続されている。抵抗Ｒ２Ａ，Ｒ２ＢとコンデンサＣ３Ａ，Ｃ３Ｂとの接続点には、さらに、ツェナーダイオードＺＤ１Ａ，ＺＤ１Ｂのアノード側が接続されている。ツェナーダイオードＺＤ１Ａ，ＺＤ１Ｂのカソード側には、ＰＮＰ型のトランジスタＱ３のベースが接続されている。トランジスタＱ３のエミッタは定電圧源Ｖｃｃに接続され、トランジスタＱ３のコレクタは抵抗とダイオードＤ２とを介して制御部６の第１の入力端子ＩＣ１に接続されている。
【００２１】
すなわち、第１の異常検出部３は、負荷回路２２Ａ，２２Ｂの直列コンデンサＣ１Ａ，Ｃ１Ｂと共振用のインダクタＬ１Ａ，Ｌ１Ｂとの接続点の電位の直流成分を抵抗Ｒ２Ａ，Ｒ２ＢとコンデンサＣ３Ａ，Ｃ３Ｂとによって検出し、制御部６の第１の入力端子ＩＣ１に入力するものである。
【００２２】
ここで、少なくとも一方の放電灯ＦＬＡ，ＦＬＢにおいて立ち消えが発生した場合には、その放電灯ＦＬＡ，ＦＬＢのインピーダンスが∞となることにより、第１の異常検出部３の出力電圧が高くなる。制御部６は、第１の入力端子ＩＣ１の電位すなわち第１の異常検出部３の出力電圧が所定の第１の異常判定閾値Ｖｔｈ１を上回ったときに、直流電源部１のスイッチング素子Ｑ０やインバータ回路２のスイッチング素子Ｑ１，Ｑ２の駆動を停止して放電灯ＦＬＡ，ＦＬＢへの電力の供給を停止する保護動作に移行する。上記第１の異常判定閾値Ｖｔｈ１としては、放電灯ＦＬＡ，ＦＬＢが正常に点灯している期間における第１の異常検出部３の出力電圧の考えられる最大値よりも僅かに大きい値、すなわち、放電灯ＦＬＡ，ＦＬＢにおいて立ち消えが発生したと判定できるような数値が選択される。なお、放電灯ＦＬＡ，ＦＬＢの始動時、放電灯ＦＬＡ，ＦＬＢの点灯が安定するまでの間は、第１の異常検出部３の出力電圧は放電灯ＦＬＡ，ＦＬＢの立ち消え時と同程度となる。そこで、本実施形態においては、制御部６は、放電灯ＦＬＡ，ＦＬＢの始動から放電灯ＦＬＡ，ＦＬＢの点灯が安定するまでの所定期間には、第１の異常検出部３の出力が第１の異常判定閾値Ｖｔｈ１を超えても保護動作には移行しないようになっている。
【００２３】
また、負荷回路２２Ａ，２２Ｂの直列コンデンサＣ１Ａ，Ｃ１Ｂと共振用のインダクタＬ１Ａ，Ｌ１Ｂとの接続点の電位の直流成分が負であってその大きさがツェナーダイオードＺＤ１Ａ，ＺＤ１Ｂのツェナー電圧Ｖｚｄ１を上回った場合、トランジスタＱ３がターンオンし、制御電圧ＶｃｃがダイオードＤ２を介して制御部６に入力される。制御電圧Ｖｃｃは上記ツェナー電圧Ｖｚｄ１よりも小さく且つ第１の異常判定閾値Ｖｔｈ１よりも大きくしてあり、上記のように負荷回路２２Ａ，２２Ｂの直列コンデンサＣ１Ａ，Ｃ１Ｂと共振用のインダクタＬ１Ａ，Ｌ１Ｂとの接続点の電位の直流成分が低くなった場合にも制御部６は保護動作に移行する。
【００２４】
フィラメント検出部５は、各放電灯ＦＬＡ，ＦＬＢのフィラメントの有無を個別に検出する個別検出部５１と、両方の放電灯ＦＬＡ，ＦＬＢについてフィラメントがない状態を検出する一括検出部５２とからなる。
【００２５】
一括検出部５２は、一端が直流電源部１の高電圧側の出力端に接続され他端が放電灯ＦＬＡ（ＦＬＢ）において一端がグランドに接続されたフィラメント（図２の下側のフィラメント。以下、「低電圧側フィラメント」と呼ぶ。）の他端に接続された抵抗Ｒ５Ａ（Ｒ５Ｂ）と、抵抗Ｒ５Ａ（Ｒ５Ｂ）と放電灯ＦＬＡ（ＦＬＢ）との接続点（すなわち、抵抗Ｒ５Ａ（Ｒ５Ｂ）と並列コンデンサＣ２Ａ（Ｃ２Ｂ）との接続点）とグラントとの間に接続された抵抗Ｒ６Ａ，Ｒ７Ａ（Ｒ６Ｂ，Ｒ７Ｂ）の直列回路とを負荷回路２２Ａ，２２Ｂ毎に備える。また、ベースが抵抗Ｒ６Ｂ，Ｒ７Ｂの接続点に接続されエミッタがグランドに接続されたＮＰＮ型のトランジスタＱ４Ｂと、直流電源部１の出力端間に接続された抵抗Ｒ８，Ｒ９の直列回路と、ベースが抵抗Ｒ８，Ｒ９の接続点とトランジスタＱ４Ｂのコレクタとに接続されエミッタがグランドに接続されたＮＰＮ型のトランジスタＱ５と、ベースが抵抗Ｒ６Ａ，Ｒ７Ａの接続点とトランジスタＱ５のコレクタとに接続されエミッタがグランドに接続されたＮＰＮ型のトランジスタＱ４Ａとを備える。トランジスタＱ４Ａのコレクタは制御部６の第３の入力端子ＩＣ３に接続されている。
【００２６】
一括検出部５２の動作を説明する。トランジスタＱ４Ｂは、図２における右側の放電灯ＦＬＢの低電圧側フィラメントがあるときにオフされ、ないときにオンされる。トランジスタＱ５は、トランジスタＱ４Ｂがオフされているときにオンされ、それ以外ではオフされる。トランジスタＱ４Ａは、図２における左側の放電灯ＦＬＡの低電圧側フィラメントがなく且つトランジスタＱ５がオフされているときにオンされ、それ以外ではオフされる。
【００２７】
制御部６の第３の入力端子ＩＣ３の電位は、通常はＨレベルに維持されており、トランジスタＱ４ＡがオンされたときにＬレベルとなる。制御部６は、第３の入力端子ＩＣ３の電位がＬレベルとなったとき、すなわち両方の放電灯ＦＬＡ，ＦＬＢについて無負荷状態が検出されたときに、保護動作に移行する。これにより、両方の放電灯ＦＬＡ，ＦＬＢが取り外されているときに使用者が誤って電源を入れた場合でも、過熱を防ぐことができる。
【００２８】
また、個別検出部５１は、放電灯ＦＬＡ，ＦＬＢの低電圧側フィラメントと並列コンデンサＣ２Ａ，Ｃ２Ｂとの接続点に一端が接続され他端がグランドに接続された抵抗Ｒ１０Ａ，Ｒ１１Ａ（Ｒ１０Ｂ，Ｒ１１Ｂ）の直列回路と、抵抗Ｒ１０Ａ，Ｒ１１Ａ（Ｒ１０Ｂ，Ｒ１１Ｂ）の接続点にベースが接続されエミッタがグランドに接続されコレクタが第１の異常検出部３の同じ負荷回路２２Ａ，２２Ｂに対応する複合ダイオードＤ１Ａ（Ｄ１Ｂ）の２個のダイオードの接続点に接続されたトランジスタＱ６Ａ（Ｑ６Ｂ）とを、各負荷回路２２Ａ，２２Ｂに対して一個ずつ備える。すなわち、いずれかの放電灯ＦＬＡ，ＦＬＢの低電圧側フィラメントが存在しなかった場合、その放電灯ＦＬＡ（ＦＬＢ）に対応する複合ダイオードＤ１Ａ（Ｄ１Ｂ）の接続点とグランドとがトランジスタＱ６Ａ（Ｑ６Ｂ）によって短絡されるから、第１の異常検出部３において放電灯ＦＬＡ，ＦＬＢにフィラメントが存在しない負荷回路２２Ａ，２２Ｂに関しては異常が検出されない。
【００２９】
第２の異常検出部４は、それぞれ並列コンデンサＣ２Ａ，Ｃ２Ｂと放電灯ＦＬＡ，ＦＬＢとの接続点の一方とグランドとの間に接続された抵抗Ｒ３Ａ，Ｒ４Ａ（Ｒ３Ｂ，Ｒ４Ｂ）の直列回路と、抵抗Ｒ３Ａ，Ｒ４Ａ（Ｒ３Ｂ，Ｒ４Ｂ）の接続点にカソード側が接続されてアノード側がグランドに接続されたダイオードＤ３と、抵抗Ｒ３Ａ，Ｒ４Ａ（Ｒ３Ｂ，Ｒ４Ｂ）の接続点にアノード側が接続されてカソード側が制御部６の第２の入力端子ＩＣ２に接続されたダイオードＤ４とを備える。
【００３０】
すなわち、第２の異常検出部４は、放電灯ＦＬＡ，ＦＬＢの両端電圧を抵抗Ｒ３Ａ，Ｒ４Ａ（Ｒ３Ｂ，Ｒ４Ｂ）によって分圧し、ダイオードＤ３によって整流し、ダイオードＤ４で構成されたＯＲ回路を通じて制御部６に入力するものであり、上記構成によって制御部６には放電灯ＦＬＡ，ＦＬＢの両端電圧の振幅が入力される。放電灯ＦＬＡ，ＦＬＢのフィラメントが断線した場合、第２の異常検出部４に入力される電圧は図３に曲線ａで示すようになる。この電圧は、インバータ部２のローサイドのスイッチング素子Ｑ２の両端電圧から直流成分が直列コンデンサＣ１Ａ，Ｃ１Ｂによって除去され、さらに放電灯ＦＬＡ，ＦＬＢや配線等の各部の浮遊容量によって生じた電圧が加算されたものである。曲線ａから高周波成分を除去した曲線ｂで示す矩形波の振幅ＶＡは直流電源部１の出力電圧と等しくなる。図３の例では、第２の異常検出部４の出力に直流成分ＶＢが加算されている。
【００３１】
制御部６は、第２の異常検出部４の出力電圧が所定の第２の異常判定閾値Ｖｔｈ２を上回ったときに、保護動作に移行する。上記第２の異常判定閾値Ｖｔｈ２としては、少なくとも一方の負荷回路２２Ａ，２２Ｂにおいて放電灯ＦＬＡ，ＦＬＢが立ち消えたときに、第２の異常検出部４の出力電圧が上回る程度の値が選択されている。また、第１の異常検出部３の場合と同様に、制御部６は、放電灯ＦＬＡ，ＦＬＢの始動から放電灯ＦＬＡ，ＦＬＢの点灯が安定するまでの所定期間には、第２の異常検出部４の出力が上記閾値を超えても保護動作には移行しないようになっている。第２の異常検出部４は、放電灯ＦＬＡ，ＦＬＢにおいてフィラメント検出部５による検出の対象となっている低電圧側フィラメントのみが断線している状態、言い換えればフィラメント検出部５によって無負荷状態として検出されるものの放電灯ＦＬＡ，ＦＬＢが取り外されているわけではないという状態を検出するために設けられており、第２の異常検出部４が請求項における片側無負荷検出部である。
【００３２】
上記構成によれば、一方の放電灯ＦＬＡ（ＦＬＢ）が取り外されていて他方の放電灯ＦＬＡ（ＦＬＢ）が正常である場合には、制御部６が保護動作に移行することがない。従って、一方の放電灯ＦＬＡ（ＦＬＢ）に異常が発生した場合には、異常が発生した放電灯ＦＬＡ（ＦＬＢ）を取り外すことにより、正常な放電灯ＦＬＡ（ＦＬＢ）を点灯可能となる。
【００３３】
また、フィラメント検出部５によって無負荷状態として検出されるが放電灯ＦＬＡ，ＦＬＢが取り外されていない、低電圧側フィラメントだけに断線や接続不良が発生した状態であっても、制御部６は第２の異常検出部４の出力によって保護動作に移行するから、第２の異常検出部４を設けない場合に比べ、より確実に放電灯ＦＬＡ，ＦＬＢの過熱を防止することができる。
【００３４】
なお、保護動作は、放電灯ＦＬＡ，ＦＬＢに供給する電力を低下させるものであれば、必ずしも本実施形態のように放電灯ＦＬＡ，ＦＬＢへの電力の供給を停止するものである必要はない。例えば、保護動作は、直流電源１の出力電圧を低下させるものや、インバータ部２のスイッチング素子Ｑ１，Ｑ２を交互にオンオフする周波数を変更するものや、スイッチング素子Ｑ１，Ｑ２の駆動を間欠的に行うもの（間欠発振）であってもよい。
【００３５】
また、インバータ部２は、本実施形態のようなハーフブリッジ形に限られず、フルブリッジ形、一石形、並列形、プッシュプル形など、他の周知の回路構成を採用してもよい。
【００３６】
さらに、第１の異常検出部３は、本実施形態のように負荷回路２２Ａ，２２Ｂの直列コンデンサＣ１とインダクタＬ１との接続点の電位を用いるものに限られず、放電灯ＦＬＡ，ＦＬＢが消灯し又は放電灯ＦＬＡ，ＦＬＢの点灯が不安定となる異常状態を検出するものであればよい。第１の異常検出部３としては、例えば、放電灯ＦＬＡ，ＦＬＢの光出力を例えばフォトダイオードによって検出してこれを用いるものや、放電灯ＦＬＡ，ＦＬＢの温度を例えばサーミスタによって検出してこれを用いるものや、放電灯ＦＬＡ，ＦＬＢへの入力電力や放電灯ＦＬＡ，ＦＬＢの光出力や温度等のパラメータを複数組み合わせて用いるものなど、周知の検出方法を適宜用いることができる。
【００３７】
また、点灯させる放電灯ＦＬＡ，ＦＬＢの個数は本実施形態のような２個に限られず、負荷回路２２Ａ，２２Ｂを３個以上設けて３個以上の放電灯ＦＬＡ、ＦＬＢを点灯可能としてもよい。この場合、各異常検出部３，４やフィラメント検出部５においては増加させる負荷回路の個数に応じて回路を追加する。
【００３８】
本実施形態の放電灯点灯装置は、例えば図４に示す照明器具に用いることができる。図４の照明器具は、互いに直径の異なる２個の環形状の放電灯ＦＬＡ，ＦＬＢを点灯させるものであって、それぞれ電源部に電気的に接続されるとともに放電灯ＦＬＡ，ＦＬＢに電気的に接続されるソケット（図示せず）が設けられ放電灯点灯装置を収納して天井面等に固定される器具本体７と、例えばアクリル樹脂のような透光性を有する材料からなり器具本体７に取り付けられて放電灯ＦＬＡ，ＦＬＢを覆うセード８とを備える。このような器具本体７及びセード８は周知技術で実現可能であるので、詳細な図示並びに説明は省略する。
【図面の簡単な説明】
【００３９】
【図１】本発明の実施形態を示す回路ブロック図である。
【図２】同上の要部を示す回路図である。
【図３】同上における第２の異常検出部への入力の一例を示す波形図である。
【図４】同上を用いた照明器具の一例を示す分解斜視図である。
【符号の説明】
【００４０】
１  直流電源部
２  インバータ部
３  第１の異常検出部
４  第２の異常検出部
５  フィラメント検出部
６  制御部
ＦＬＡ，ＦＬＢ  放電灯
【図１】
2008016393.tif 000003
【図２】
2008016393.tif 000004
【図３】
2008016393.tif 000005
【図４】
2008016393.tif 000006